(57)【要約】【課題】最終的に診断を行う上位のＥＣＵが地絡抵抗のデータの実際の計測タイミングを把握するために役立つ情報を送出することが可能な絶縁状態検出装置を提供する。【解決手段】フライングキャパシタの充電電圧の計測値に基づいて絶縁抵抗値を算出する地絡抵抗値算出部Ｓ１８と、前記計測値に影響を及ぼす少なくとも１つの計測条件について異常の有無を識別する計測状態識別部Ｓ１１、Ｓ１３、Ｓ１５と、タイミング情報を生成すると共に地絡抵抗値算出部が新たな絶縁抵抗値を算出する毎に前記タイミング情報の値を所定値ずつ自動的に更新し更に前記計測状態識別部の識別状態を前記タイミング情報の値に反映するタイミング情報生成部Ｓ２０と、前記地絡抵抗値算出部が算出した絶縁抵抗値および前記タイミング情報生成部が生成した前記タイミング情報を上位の制御装置に対して送信する情報送信部Ｓ２２とを備える。【選択図】図２
2014149193.tif 000002
【特許請求の範囲】
【請求項１】
所定の高圧直流電源出力の正極側電源ライン及び負極側電源ラインとそれぞれ接続される正極側入力端子及び負極側入力端子と、接地電極とを有し、フライングキャパシタの充電電圧に基づいて前記正極側電源ライン及び負極側電源ラインと前記接地電極との間の絶縁状態を把握する絶縁状態検出装置であって、
前記フライングキャパシタの充電電圧に関する計測値に基づいて、前記正極側電源ライン及び負極側電源ラインと前記接地電極との間の絶縁抵抗値を算出する地絡抵抗値算出部と、
前記計測値に影響を及ぼす少なくとも１つの計測条件について異常の有無を識別する計測状態識別部と、
タイミング情報を生成すると共に、地絡抵抗値算出部が新たな絶縁抵抗値を算出する毎に前記タイミング情報の値を所定値ずつ自動的に更新し、更に前記計測状態識別部の識別状態を前記タイミング情報の値に反映するタイミング情報生成部と、
前記地絡抵抗値算出部が算出した絶縁抵抗値および前記タイミング情報生成部が生成した前記タイミング情報を上位の制御装置に対して送信する情報送信部と、
を備えることを特徴とする絶縁状態検出装置。
【請求項２】
前記計測状態識別部は、所定の計測禁止状態を検出した時に、または前記計測禁止状態が解除された時に、前記タイミング情報生成部が生成する前記タイミング情報の値を初期化し、
前記地絡抵抗値算出部は、前記計測禁止状態においては、新たな絶縁抵抗値の算出を中止する
ことを特徴とする請求項１に記載の絶縁状態検出装置。
【請求項３】
前記計測状態識別部は、所定の計測異常状態を検出している時には、前記タイミング情報生成部が生成する前記タイミング情報の値の更新を中止して同じ値に維持し、
前記地絡抵抗値算出部は、前記計測異常状態においては、新たな絶縁抵抗値の算出を中止する
ことを特徴とする請求項１に記載の絶縁状態検出装置。
【請求項４】
前記計測状態識別部は、一時的な計測異常状態を検出している時には、前記タイミング情報生成部が生成する前記タイミング情報の値の更新を中止し、正常な状態に戻るまでは前記タイミング情報を同じ値に維持し、
前記地絡抵抗値算出部は、前記一時的な計測異常状態になってから正常な状態に戻るまでの間は、新たな絶縁抵抗値の算出を中止する
ことを特徴とする請求項１に記載の絶縁状態検出装置。
【発明の詳細な説明】
【技術分野】
【０００１】
本発明は、車両に搭載した状態で使用可能な絶縁状態検出装置に関する。
【背景技術】
【０００２】
例えば、電気自動車のように、推進用エネルギーとして電力を利用する車両においては、２００Ｖ程度の高電圧を出力する直流電源装置を搭載する場合がある。このような高電圧の直流電源装置を搭載した車両の場合には、直流電源装置の正負の電源ラインと車体との間が電気的に絶縁された状態で使用される。すなわち、車体は高電圧を出力する電源のアースとして利用しない。
【０００３】
このような車両においては、安全性の確保等のために、高電圧の直流電源出力の配線と車体との間が十分に電気絶縁されていることを検査して確認する必要がある。このような検査を行う場合に用いられる絶縁状態検出装置の従来技術が、例えば特許文献１、特許文献２および特許文献３に開示されている。
【０００４】
この種の絶縁状態検出装置は、フライングキャパシタを用いている。すなわち、スイッチング素子を介して、高電圧の正負の電源ラインと接地電極（車体）との間に一定時間だけ検出用コンデンサ（フライングキャパシタと呼ばれる）を接続する。このフライングキャパシタの充電電圧を監視し、この充電電圧から計算により地絡抵抗、すなわち電源ラインと接地電極との間の絶縁抵抗を算出する。
【０００５】
また、特許文献１および特許文献２においては、フライングキャパシタをスイッチングするスイッチの故障検出に関する技術を開示している。また、特許文献３においては、フライングキャパシタの電圧を検出する回路に所定以上の高電圧が印加されないように保護するための技術を開示している。
【先行技術文献】
【特許文献】
【０００６】
【特許文献１】特開２００４−１７０１４６号公報
【特許文献２】特開２００８−８９３２３号公報
【特許文献３】特開２００８−３０９７５１号公報
【発明の概要】
【発明が解決しようとする課題】
【０００７】
ところで、高電圧を出力する直流電源装置を搭載した車両においては、高電圧の直流電源出力の配線と車体との間が十分に電気絶縁されていることを、車両の出荷時や定期点検時だけでなく、日常的に頻繁に検査することが望まれる場合がある。
【０００８】
そのような場合には、上述のような絶縁状態検出装置をセンサとして車両上に装備しておく必要がある。車両がセンサとして絶縁状態検出装置を搭載している場合には、この絶縁状態検出装置を用いて、例えば、車両の使用中に定期的に地絡抵抗（絶縁抵抗）を計測し、異常発生の有無を識別することができる。
【０００９】
実際には、絶縁状態検出装置は、予め決められたスケジュールに従って各スイッチング素子のオンオフを制御しながらフライングキャパシタの電圧を計測し、計測した電圧と計算式とに基づいて地絡抵抗を算出する必要がある。また、絶縁状態検出装置に内蔵された各スイッチング素子の故障の有無を識別したり、計測した地絡抵抗値の信頼性を高めるために、計測に適さないタイミングでは計測を中止するような制御も必要になる。このような複雑な制御は、絶縁状態検出装置に内蔵されたマイクロコンピュータなどの制御回路により実行することができる。
【００１０】
一方、実際の車両においては、車両各部の機能について所定の診断処理を行い、その結果を表示したり、その他の制御に反映するために様々な電子制御装置（ＥＣＵ：Electronic Control Unit）を搭載している。従って、絶縁状態検出装置をセンサとして車両上に装備する場合には、車両側に標準装備されている電子制御装置（ＥＣＵ）の配下に絶縁状態検出装置が接続される。その場合、上位の電子制御装置（ＥＣＵ）は、通信により配下の絶縁状態検出装置から必要に応じて計測結果である地絡抵抗値を取得し、この情報を診断して最終的な診断結果を出力することになる。
【００１１】
一方、実際の車両においては、絶縁状態検出装置が地絡抵抗を計測する環境が様々に変化する可能性がある。例えば、車両のバッテリーの充放電に伴って電源電圧が変化すると、検出される地絡抵抗にも変化が現れる。また、例えば車両上の各機器が作動する時に、一時的に地絡抵抗が低下する可能性も考えられる。また、例えば降雨などの天候の変化や、温度、湿度等の変化に伴って地絡抵抗が変化する可能性も考えられる。
【００１２】
車両に標準装備されている電子制御装置（ＥＣＵ）は、車両上で取得可能な様々な情報に基づいて最終的な診断を行うことが可能なので、地絡抵抗についても信頼性の高い診断結果を出力することが可能である。
【００１３】
しかしながら、上記のような絶縁状態検出装置はそれ自身の定めた独自のタイミングで計測および計算を実施しているにもかかわらず、上位の電子制御装置（ＥＣＵ）は、計測結果の地絡抵抗のデータだけしか受け取ることができない。
【００１４】
例えば、絶縁状態検出装置は、地絡抵抗を計測した後で計測に適さない状況に変化したことを認識すると、計測を中止し、最後に計測した地絡抵抗のデータを上位の電子制御装置に渡す可能性がある。従って、上位の電子制御装置は、配下の絶縁状態検出装置から受け取った地絡抵抗のデータが最新の計測データなのか、古い計測データなのかを区別することができない。つまり、上位の電子制御装置は、配下の絶縁状態検出装置から受け取った地絡抵抗のデータを診断する際に、それ自身（電子制御装置）が意図しているタイミングで計測された地絡抵抗のデータかどうかを知ることができず、診断の誤りが生じる可能性がある。例えば、上位の電子制御装置が計測は無効とみなしているタイミングで計測された古いデータであるにもかかわらず、絶縁状態検出装置から受け取ったデータを信頼できる最新のデータとみなして診断を実行する可能性がある。
【００１５】
従って、例えば地絡抵抗を計測した時刻を表す情報を絶縁状態検出装置から上位の電子制御装置に送信することが考えられる。しかし、時刻（時、分、秒等）の情報を扱うためには地絡抵抗よりも多くのビット数を必要とするので無駄が多くなる。更に、絶縁状態検出装置側の時刻と、上位の電子制御装置側の時刻を何らかの方法で予め同期させておかないと正しい時刻を把握することができない。
【００１６】
本発明は、上述した事情に鑑みてなされたものであり、その目的は、最終的な診断を行う上位の電子制御装置が、地絡抵抗のデータの実際の計測タイミングを把握するために役立つ情報を送出することが可能な絶縁状態検出装置を提供することにある。
【課題を解決するための手段】
【００１７】
前述した目的を達成するために、本発明に係る絶縁状態検出装置は、下記（１）〜（７）を特徴としている。
（１）  所定の高圧直流電源出力の正極側電源ライン及び負極側電源ラインとそれぞれ接続される正極側入力端子及び負極側入力端子と、接地電極とを有し、フライングキャパシタの充電電圧に基づいて前記正極側電源ライン及び負極側電源ラインと前記接地電極との間の絶縁状態を把握する絶縁状態検出装置であって、
前記フライングキャパシタの充電電圧に関する計測値に基づいて、前記正極側電源ライン及び負極側電源ラインと前記接地電極との間の絶縁抵抗値を算出する地絡抵抗値算出部と、
前記計測値に影響を及ぼす少なくとも１つの計測条件について異常の有無を識別する計測状態識別部と、
タイミング情報を生成すると共に、地絡抵抗値算出部が新たな絶縁抵抗値を算出する毎に前記タイミング情報の値を所定値ずつ自動的に更新し、更に前記計測状態識別部の識別状態を前記タイミング情報の値に反映するタイミング情報生成部と、
前記地絡抵抗値算出部が算出した絶縁抵抗値および前記タイミング情報生成部が生成した前記タイミング情報を上位の制御装置に対して送信する情報送信部と、
を備えること。
（２）  上記（１）に記載の絶縁状態検出装置であって、
前記計測状態識別部は、所定の計測禁止状態を検出した時に、または前記計測禁止状態が解除された時に、前記タイミング情報生成部が生成する前記タイミング情報の値を初期化し、
前記地絡抵抗値算出部は、前記計測禁止状態においては、新たな絶縁抵抗値の算出を中止すること。
（３）  上記（１）に記載の絶縁状態検出装置であって、
前記計測状態識別部は、所定の計測異常状態を検出している時には、前記タイミング情報生成部が生成する前記タイミング情報の値の更新を中止して同じ値に維持し、
前記地絡抵抗値算出部は、前記計測異常状態においては、新たな絶縁抵抗値の算出を中止すること。
（４）  上記（１）に記載の絶縁状態検出装置であって、
前記計測状態識別部は、一時的な計測異常状態を検出している時には、前記タイミング情報生成部が生成する前記タイミング情報の値の更新を中止し、正常な状態に戻るまでは前記タイミング情報を同じ値に維持し、
前記地絡抵抗値算出部は、前記一時的な計測異常状態になってから正常な状態に戻るまでの間は、新たな絶縁抵抗値の算出を中止すること。
（５）  上記（１）に記載の絶縁状態検出装置であって、
前記計測状態識別部は、車両から送出されるイグニッション信号によるリセット状態を検出した時に、前記タイミング情報生成部が生成する前記タイミング情報の値を初期化すること。
（６）  上記（１）に記載の絶縁状態検出装置であって、
前記情報送信部は、前記地絡抵抗値算出部が新たな絶縁抵抗値の算出を中止している状態では、一定の時間を経過する毎に、最後に算出された絶縁抵抗値の情報を、前記タイミング情報と共に送出すること。
（７）  上記（１）に記載の絶縁状態検出装置であって、
前記計測状態識別部は、所定の条件における前記フライングキャパシタの電圧の計測値に基づき、少なくとも前記正極側電源ライン又は負極側電源ラインに印加される電源電圧の異常を検出すること。
【００１８】
上記（１）の構成の絶縁状態検出装置によれば、上位の制御装置は、絶縁抵抗値および前記タイミング情報生成部が生成した前記タイミング情報を受け取ることができる。また、状況の変化に応じて前記計測状態識別部の識別状態が前記タイミング情報に反映されるので、上位の制御装置は、それ自身が把握しているタイミングと前記タイミング情報の値とを対応付け、同期させることが可能である。また、前記タイミング情報の値は地絡抵抗値算出部が新たな絶縁抵抗値を算出する毎に更新するので、この情報のビット数を最小限に抑制することができる。
上記（２）の構成の絶縁状態検出装置によれば、上位の制御装置は、受け取った前記タイミング情報の値により、計測動作を開始又は再開してから何番目のタイミングで計測された絶縁抵抗値が得られたのかを知ることができる。
上記（３）の構成の絶縁状態検出装置によれば、所定の計測異常状態において計測が中止されている時には、前記タイミング情報が同じ値のまま変化しなくなる。従って、上位の制御装置は、受け取った前記タイミング情報の値により、計測動作は中止状態であって、絶縁抵抗値は古いデータのまま更新されていないことを把握できる。
上記（４）の構成の絶縁状態検出装置によれば、一時的な計測異常状態において正常に戻るまで計測動作の待機をしている時には、前記タイミング情報が同じ値のまま変化しなくなる。従って、上位の制御装置は、受け取った前記タイミング情報の値により、計測動作は中止状態であって、絶縁抵抗値は古いデータのまま更新されていないことを把握できる。
上記（５）の構成の絶縁状態検出装置によれば、車両のイグニッションがオンになった時を基準のタイミングとして、前記タイミング情報の値を決定することができる。上位の制御装置においてもイグニッション信号を監視できるので、上位の制御装置はそれ自身が把握しているタイミングと絶縁状態検出装置の計測のタイミングとをイグニッション信号により同期させることができる。
上記（６）の構成の絶縁状態検出装置によれば、異常が生じていない時に計測された最後の絶縁抵抗値の情報を常に送出することができる。また、上位の制御装置は定期的に絶縁状態検出装置から情報を受け取ることができるので、絶縁状態検出装置が動作していることを把握できる。
上記（７）の構成の絶縁状態検出装置によれば、電源電圧に異常が発生している時に、それを検出し、計測を中止することができる。従って、信頼性の乏しい絶縁抵抗値の情報が送出されるのを防止できる。
【発明の効果】
【００１９】
本発明の絶縁状態検出装置によれば、最終的な診断を行う上位の電子制御装置が、地絡抵抗のデータの実際の計測タイミングを把握するために役立つ情報を送出することができる。
【００２０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２１】
【図１】図１は、車両に搭載された絶縁状態検出装置およびその周辺回路の構成を示す電気回路図である。
【図２】図２は、図１に示した絶縁状態検出装置の制御動作に関するメインフローを示すフローチャートである。
【図３】図３は、図１に示した絶縁状態検出装置における地絡情報ＩＤ初期化処理を示すフローチャートである。
【図４】図４は、図１に示した絶縁状態検出装置の動作例（１）を示すタイムチャートである。
【図５】図５は、図１に示した絶縁状態検出装置の動作例（２）を示すタイムチャートである。
【図６】図６は、図１に示した絶縁状態検出装置の動作例（３）を示すタイムチャートである。
【図７】図７は、図１に示した絶縁状態検出装置における動作状態の変化を示す状態遷移図である。
【図８】図８は、図１に示した絶縁状態検出装置におけるフライングキャパシタの充放電制御タイミングの具体例を示すタイムチャートである。
【図９】図９は、図１に示した上位ＥＣＵ４０の動作例を示すフローチャートである。
【発明を実施するための形態】
【００２２】
本発明の絶縁状態検出装置に関する具体的な実施の形態について、各図を参照しながら以下に説明する。
【００２３】
＜システムの構成例＞
＜全体の構成および動作の概要＞
車両に搭載された絶縁状態検出装置１０およびその周辺回路の構成を図１に示す。図１に示したシステムは、例えば電気自動車、あるいは駆動源としてエンジンおよび電気モータを備えたハイブリッド自動車のような車両に搭載される。
【００２４】
車載直流高圧電源５０は、例えば２００Ｖ程度の高電圧の直流電力を出力する。車載直流高圧電源５０が出力する電力により、車両の推進力を発生する電気モータを駆動することができる。
【００２５】
車載直流高圧電源５０の出力の正極側電源ライン１１１と接地電極１０３との間は電気的に絶縁されている。また、負極側電源ライン１１２と接地電極１０３との間も電気的に絶縁されている。接地電極１０３は、車両の車体などのアース部分に相当する。ここで、正極側電源ライン１１１と接地電極１０３との間の絶縁状態を地絡抵抗ＲＬｐとして表すことができる。また、負極側電源ライン１１２と接地電極１０３との間の絶縁状態を地絡抵抗ＲＬｎとして表すことができる。
【００２６】
また、コモンモードノイズを低減するために、図１に示すように、正極側電源ライン１１１と接地電極１０３との間にＹコンデンサ１０１を接続し、負極側電源ライン１１２と接地電極１０３との間にＹコンデンサ１０２を接続してある。
【００２７】
本実施形態においては、必要に応じていつでも車両の絶縁状態を監視できるように、絶縁状態検出装置１０がセンサとしてこの車両に装備してある。すなわち、車載直流高圧電源５０の出力における地絡抵抗ＲＬｐ、ＲＬｎを検出し絶縁状態を把握するために絶縁状態検出装置１０を用いる。
【００２８】
従って、図１に示すように、絶縁状態検出装置１０の正極側入力端子１３及び負極側入力端子１４をそれぞれ正極側電源ライン１１１及び負極側電源ライン１１２と接続してある。また、絶縁状態検出装置１０の接地電極１５は、接地電極１０３と接続してある。
【００２９】
地絡抵抗の計測結果に基づいて、絶縁状態検出装置１０自体が地絡抵抗に関する異常の有無を識別することも可能である。しかし、本実施形態では上位ＥＣＵ（電子制御装置）４０が車両の状態および様々な情報に基づいて、地絡抵抗の異常の有無に関する最終的な判断を実施する。
【００３０】
従って、絶縁状態検出装置１０と上位ＥＣＵ４０との間でデータ通信ができるように、絶縁状態検出装置１０の出力コネクタ２１の出力を、車両上通信線４５を介して上位ＥＣＵ４０と接続してある。
【００３１】
後述するように、絶縁状態検出装置１０は計測結果の地絡抵抗値の情報を定期的に上位ＥＣＵ４０に送信することができる。また、絶縁状態検出装置１０は、該当する地絡抵抗値の計測タイミングを表す地絡情報ＩＤを地絡抵抗値と共に送信することができる。更に、絶縁状態検出装置１０は、それ自身の状態を表す各種のステータス情報も上位ＥＣＵ４０に送信することができる。
【００３２】
＜絶縁状態検出装置１０の構成例＞
図１に示すように、絶縁状態検出装置１０の回路にはフライングキャパシタとして動作する検出用コンデンサＣ１が設けてある。また、検出用コンデンサＣ１の充電及び放電を制御するために、その周辺に５つのスイッチング素子Ｓ１〜Ｓ５が設けてある。これらのスイッチング素子Ｓ１〜Ｓ５の各々は、例えば光ＭＯＳＦＥＴのように、絶縁された信号の制御によって接点の開閉（オフ／オン）状態を切替可能なスイッチである。
【００３３】
スイッチング素子Ｓ１は、一端が配線３１を介して正極側入力端子１３と接続され、他端が配線３３と接続されている。スイッチング素子Ｓ２は、一端が配線３２を介して負極側入力端子１４と接続され、他端が配線３４と接続されている。
【００３４】
スイッチング素子Ｓ３は、一端が配線３３と接続され、他端が配線３５と接続されている。スイッチング素子Ｓ４は、一端が配線３４と接続され、他端が抵抗器Ｒ４を介して接地電極１５と接続されている。
【００３５】
検出用コンデンサＣ１は、負極側端子が配線３４と接続されている。検出用コンデンサＣ１の正極側端子は、ダイオードＤ０及び抵抗器Ｒ１で構成される直列回路を介して配線３３と接続されている。また、検出用コンデンサＣ１の正極側端子は、ダイオードＤ１及び抵抗器Ｒ６で構成される直列回路を介して配線３３と接続されている。
【００３６】
スイッチング素子Ｓ５は、一端がダイオードＤ１のカソードと接続され、他端が抵抗器Ｒ５を介して接地電極１５と接続されている。配線３５は抵抗器Ｒ３を介して接地電極１５と接続されている。
【００３７】
マイクロコンピュータ（ＣＰＵ）１１は、予め組み込まれたプログラムを実行することにより、絶縁状態検出装置１０に必要とされる各種制御を実行する。具体的には、マイクロコンピュータ１１は、スイッチング素子Ｓ１〜Ｓ５を個別に制御して検出用コンデンサＣ１の充電及び放電を制御する。また、マイクロコンピュータ１１は検出用コンデンサＣ１の充電電圧に相当するアナログレベルを、配線３６を介して入力し、この入力レベルに基づいて計算を行い、地絡抵抗ＲＬｐ及びＲＬｎを把握する。
【００３８】
絶縁状態検出装置１０の入力端子２２および２３には、それぞれイグニッション信号ＩＧＳおよび外部制御信号ＣＯＮが印加される。イグニッション信号ＩＧＳは、車両のイグニッションスイッチのオンオフ状態を表す電気信号である。外部制御信号ＣＯＮは、他の装置が必要に応じて絶縁状態検出装置１０を制御するために使用することができる。イグニッション信号ＩＧＳおよび外部制御信号ＣＯＮは、入力回路（Ｉ／Ｆ）２０を介してマイクロコンピュータ１１の入力ポートに印加される。
【００３９】
マイクロコンピュータ１１は、シリアル通信インタフェースを内蔵している。シリアル通信において使用するマイクロコンピュータ１１の信号線は、出力コネクタ２１と接続されている。従って、マイクロコンピュータ１１は上位ＥＣＵ４０との間でデータ通信することができる。
【００４０】
＜地絡抵抗の計測＞
＜検出用コンデンサ（フライングキャパシタ）Ｃ１の充放電の説明＞
＜切り替えのタイミング＞
計測時のスイッチング素子Ｓ１〜Ｓ５の切り替えタイミングの具体例を図８に示す。すなわち、地絡抵抗ＲＬｐ及びＲＬｎの計測を実施する際には、図８に示すような基本計測サイクルのスケジュールに従ってマイクロコンピュータ１１がスイッチング素子Ｓ１〜Ｓ５のオンオフを制御し、地絡抵抗の算出に必要な計測値を取得する。
【００４１】
図８に示した基本計測サイクルは、「Ｖ０充電」、「計測」、「放電」、「Ｖｃ１−充電」、「計測」、「放電」、「Ｖ０充電」、「計測」、「放電」、「Ｖｃ１＋充電」、「計測」、「放電」の各区間の連なりにより構成されている。
【００４２】
時刻ｔ１−ｔ２の「Ｖ０充電」区間においては、スイッチング素子Ｓ１及びＳ２がオン（接点閉）になり、他のスイッチング素子はオフ（接点開）になる。時刻ｔ２−ｔ３の「計測」区間においては、スイッチング素子Ｓ３、Ｓ４がオンになり、他のスイッチング素子はオフになる。
【００４３】
時刻ｔ３−ｔ４の「放電」区間においては、スイッチング素子Ｓ４、Ｓ５がオンになり、他のスイッチング素子はオフになる。時刻ｔ４−ｔ５の「Ｖｃ１−充電」区間においては、スイッチング素子Ｓ１、Ｓ４がオンになり、他のスイッチング素子はオフになる。
【００４４】
時刻ｔ５−ｔ６の「計測」区間は、時刻ｔ２−ｔ３の「計測」区間と同様である。また、時刻ｔ６−ｔ７の「放電」区間は、時刻ｔ３−ｔ４の「放電」区間と同様である。時刻ｔ７−ｔ８の「Ｖ０充電」区間は、時刻ｔ１−ｔ２の「Ｖ０充電」区間と同様である。続く時刻ｔ８−ｔ９の「計測」区間は、時刻ｔ２−ｔ３の「計測」区間と同様である。また、時刻ｔ９−ｔ１０の「放電」区間は、時刻ｔ３−ｔ４の「放電」区間と同様である。
【００４５】
時刻ｔ１０−ｔ１１の「Ｖｃ１＋充電」区間においては、スイッチング素子Ｓ２、Ｓ３がオンになり、他のスイッチング素子はオフになる。時刻ｔ１１−ｔ１２の「計測」区間は、時刻ｔ２−ｔ３の「計測」区間と同様である。また、時刻ｔ１２−ｔ１３の「放電」区間は、時刻ｔ３−ｔ４の「放電」区間と同様である。
【００４６】
＜計測サイクルの各区間の通電経路及び動作＞
「Ｖ０充電」区間：
スイッチング素子Ｓ１の接点が閉になるので、正極側電源ライン１１１から正極側入力端子１３、配線３１、スイッチング素子Ｓ１、ダイオードＤ０、抵抗器Ｒ１を通って検出用コンデンサＣ１の正極側端子に電流が流れる。また、スイッチング素子Ｓ２の接点が閉になるので、検出用コンデンサＣ１の負極側端子から、配線３４、スイッチング素子Ｓ２、配線３２、負極側入力端子１４、負極側電源ライン１１２へ電流が流れる。従って、この電流により検出用コンデンサＣ１に電荷が充電される。
【００４７】
「計測」区間：
スイッチング素子Ｓ４の接点が閉になるので、検出用コンデンサＣ１の負極側端子が、抵抗器Ｒ４を介して接地電極１５と接続される。また、スイッチング素子Ｓ３の接点が閉になるので、検出用コンデンサＣ１の正極側端子が、ダイオードＤ１、抵抗器Ｒ６、スイッチング素子Ｓ３、配線３５、入力回路２０、配線３６を介してマイクロコンピュータ１１のアナログ入力ポートと接続される。従って、マイクロコンピュータ１１は、検出用コンデンサＣ１の充電電圧に比例したアナログレベルを検出することができる。
【００４８】
「放電」区間：
スイッチング素子Ｓ４の接点が閉になるので、検出用コンデンサＣ１の負極側端子が、抵抗器Ｒ４を介して接地電極１５と接続される。また、スイッチング素子Ｓ５の接点が閉になるので、検出用コンデンサＣ１の正極側端子が、ダイオードＤ１、スイッチング素子Ｓ５、抵抗器Ｒ５を介して接地電極１５と接続される。従って、検出用コンデンサＣ１に蓄積された電荷は放電する。
【００４９】
「Ｖｃ１−充電」区間：
スイッチング素子Ｓ１の接点が閉になるので、正極側電源ライン１１１から正極側入力端子１３、配線３１、スイッチング素子Ｓ１、ダイオードＤ０、抵抗器Ｒ１を通って検出用コンデンサＣ１の正極側端子に電流が流れる。また、スイッチング素子Ｓ４の接点が閉になるので、検出用コンデンサＣ１の負極側端子から、スイッチング素子Ｓ４、抵抗器Ｒ４、接地電極１５、接地電極１０３、地絡抵抗ＲＬｎを通って負極側電源ライン１１２に電流が流れる。この電流により、検出用コンデンサＣ１に電荷が充電される。この時の充電電圧は、地絡抵抗ＲＬｎの影響を反映した結果になる。
【００５０】
「Ｖｃ１＋充電」区間：
スイッチング素子Ｓ３の接点が閉になるので、正極側電源ライン１１１から地絡抵抗ＲＬｐ、接地電極１０３、接地電極１５、抵抗器Ｒ３、スイッチング素子Ｓ３、ダイオードＤ０、抵抗器Ｒ１を通って、検出用コンデンサＣ１の正極側端子に電流が流れる。また、スイッチング素子Ｓ２の接点が閉になるので、検出用コンデンサＣ１の負極側端子から、配線３４、スイッチング素子Ｓ２、配線３２、負極側入力端子１４、負極側電源ライン１１２へ電流が流れる。この電流により、検出用コンデンサＣ１に電荷が充電される。この時の充電電圧は、地絡抵抗ＲＬｐの影響を反映した結果になる。
【００５１】
＜基本的な地絡抵抗の計測動作＞
図１に示した絶縁状態検出装置１０の動作に関しては、基本的には以下の関係式が成立する。
（ＲＬｐ＋ＲＬｎ）／（ＲＬｐ×ＲＬｎ）＝｛(Ｖｃ１＋)＋(Ｖｃ１−)｝／Ｖｃ１
但し、
Ｖｃ１：車載直流高圧電源５０の出力電圧に応じた検出用コンデンサＣ１の充電電圧
Ｖｃ１−：負側の地絡抵抗ＲＬｎの影響を受けた検出用コンデンサＣ１の充電電圧
Ｖｃ１＋：正側の地絡抵抗ＲＬｐの影響を受けた検出用コンデンサＣ１の充電電圧
ＲＬｐ，ＲＬｎ：各地絡抵抗の抵抗値
【００５２】
従って、マイクロコンピュータ１１は、各状態でアナログ入力ポート（Ａ／Ｄ１）に入力される信号レベルから各充電電圧「Ｖｃ１」、「Ｖｃ１−」、「Ｖｃ１＋」を把握し、上記関係式に基づいて地絡抵抗ＲＬｐ、ＲＬｎを算出することが可能である。
【００５３】
＜地絡抵抗の計測に影響を及ぼす事象の具体例＞
（１）例えば、車載直流高圧電源５０が出力する電源電圧が異常に高い場合、電源電圧が異常に低い場合、あるいは電源電圧の変動が大きい場合のような状況では、地絡抵抗を計測する環境が通常と異なるため信頼性の高い地絡抵抗値が得られない可能性がある。例えば、車両外部から車載直流高圧電源５０に対して充電する場合、一時的に大きな負荷がかかった場合、特別な装置が動作している場合などにこのような状況が生じると考えられる。
【００５４】
（２）絶縁状態検出装置１０の内部で故障や異常な動作が発生した場合には、計測値に異常が発生するので、正しい地絡抵抗を検出できない。例えば、スイッチング素子Ｓ１〜Ｓ５等のデバイスの故障、マイクロコンピュータ１１のＡ／Ｄ変換機能の故障、マイクロコンピュータ１１の動作の異常、検出用コンデンサＣ１の劣化などの場合に、信頼性の高い地絡抵抗が得られなくなる。
【００５５】
（３）また、例えば車両上の各機器が作動する時に、一時的に地絡抵抗が低下する可能性も考えられる。また、例えば降雨などの天候の変化や、温度、湿度等の変化に伴って地絡抵抗が一時的に変化する可能性も考えられる。
【００５６】
＜地絡抵抗の診断の信頼性を上げるための制御＞
絶縁状態検出装置１０の内部では、それ自身の故障および劣化を把握したり、車載直流高圧電源５０が出力する電圧の異常を検出することができるので、そのような時には地絡抵抗の計測を中止したり、異常の発生を外部に知らせることもできる。
【００５７】
一方、上位ＥＣＵ４０においては、絶縁状態検出装置１０から受け取った地絡抵抗の情報を利用して、地絡抵抗の異常の有無に関する最終的な診断を行うことになる。上位ＥＣＵ４０は、絶縁状態検出装置１０が知ることのできる情報の他に、様々な車両の状態を把握することができるので、より精度の高い地絡抵抗の診断を行うことができる。
【００５８】
しかし、上位ＥＣＵ４０と絶縁状態検出装置１０とがそれぞれ独立したタイミングで動作しているので、地絡抵抗の診断に問題が生じる可能性がある。例えば、絶縁状態検出装置１０が地絡抵抗の計測を中止している状態で、過去に計測された古い地絡抵抗のデータを送信している場合にも、上位ＥＣＵ４０は受け取ったデータを最新の地絡抵抗のデータと誤認する可能性がある。このように、上位ＥＣＵ４０が把握している計測のタイミングと実際の計測タイミングとがずれていると、診断の信頼性が低下する。
【００５９】
従って、後述するように、図１に示した絶縁状態検出装置１０は、実際の計測のタイミングを表す地絡情報ＩＤを、地絡抵抗のデータと共に上位ＥＣＵ４０に対して送信する。これにより、上位ＥＣＵ４０は地絡抵抗の実際の計測タイミングを把握することが可能であり、診断の信頼性を高めることができる。
【００６０】
＜絶縁状態検出装置１０における制御動作＞
＜マイクロコンピュータ１１の処理の内容＞
図１に示した絶縁状態検出装置の制御動作に関するメインフローを図２に示す。また、図１に示した絶縁状態検出装置における地絡情報ＩＤ初期化処理を図３に示す。すなわち、マイクロコンピュータ１１が図２および図３に示した処理を実行する。また、図３に示した処理については、一定時間毎に繰り返し実行される。
【００６１】
絶縁状態検出装置１０の電源がオンになると、マイクロコンピュータ１１は所定の初期化処理を実行した後、図２のステップＳ１１から処理を開始する。Ｓ１１では、マイクロコンピュータ１１は、内部メモリ上に割り当てた「計測禁止フラグ」の状態を参照し、計測禁止中か否かを識別する。計測禁止中でなければ次のＳ１２に進み、計測禁止中であればＳ２１に進む。
【００６２】
ステップＳ１２では、マイクロコンピュータ１１は電圧計測スケジュールを実行する。すなわち、図８に示したようなタイミングで各スイッチング素子Ｓ１〜Ｓ５を制御しながら、検出用コンデンサＣ１の電圧（Ｖ０、Ｖｃ１−、Ｖｃ１＋）を計測する。
【００６３】
ステップＳ１３では、マイクロコンピュータ１１は車載直流高圧電源５０が出力する電源電圧（高電圧）に関する異常の有無を識別する。具体的には、Ｓ１２で計測された電圧Ｖ０を所定の閾値と比較することにより、異常か否かを識別する。高電圧の異常を検出した場合はＳ１４に進み、異常でない場合はＳ１５に進む。
【００６４】
ステップＳ１４では、マイクロコンピュータ１１は、高電圧が正常に戻るまで、Ｓ１２の計測動作を継続しながら待機する。
【００６５】
ステップＳ１５では、マイクロコンピュータ１１は絶縁状態検出装置１０内部における故障や劣化の有無について識別する。実際には、Ｓ１２を実行している時の各タイミングで計測した電圧を所定の閾値と比較することによりスイッチング素子Ｓ１〜Ｓ５等の故障、検出用コンデンサＣ１の劣化などを検出することができる。故障を検出した場合はＳ１６に進み、正常である場合はＳ１７に進む。
【００６６】
ステップＳ１６では、マイクロコンピュータ１１は計測禁止状態に切り替えるために「計測禁止フラグ」をセットして、Ｓ２１に進む。
【００６７】
ステップＳ１７では、マイクロコンピュータ１１は、地絡抵抗の計算に必要な全ての計測値（Ｖ０、Ｖｃ１−、Ｖｃ１＋）の取得が完了したか否かを識別し、完了の場合はＳ１８に進み、完了していない場合はＳ２１に進む。
【００６８】
ステップＳ１８では、マイクロコンピュータ１１は取得した最新の計測値（Ｖ０、Ｖｃ１−、Ｖｃ１＋）を所定の計算式に代入して、地絡抵抗値を算出する。
【００６９】
ステップＳ１９では、マイクロコンピュータ１１は、Ｓ１８で算出した地絡抵抗値を所定の閾値と比較することにより、地絡抵抗の異常の有無を識別する。
【００７０】
ステップＳ２０では、マイクロコンピュータ１１は、地絡抵抗の計測タイミングを表す「地絡情報ＩＤ」の値を更新する。すなわち、更新前の「地絡情報ＩＤ」の値に「＋１」を加算した結果を更新後の「地絡情報ＩＤ」の値とする。本実施形態では、「地絡情報ＩＤ」を表現するために７ビットのメモリを割り当てている。従って、「地絡情報ＩＤ」については１０進数で０〜１２７の範囲の値を表現することができる。「地絡情報ＩＤ」の値が「１２７」の時にＳ２０を実行すると、「地絡情報ＩＤ」の値は更新されて「０」に戻る。そして、「地絡情報ＩＤ」の値はＳ２０を実行する毎に１、２、３、４、・・・と変化する。
【００７１】
ステップＳ２１では、マイクロコンピュータ１１は、事前に定めた一定の時間を経過したか否かを識別する。一定の時間を経過した時にはＳ２２に進み、それ以外のタイミングではＳ１１に戻る。前記一定の時間の具体例としては、１秒間に定めることができる。つまり、１秒間を経過する毎に次のＳ２２が定期的に実行される。
【００７２】
ステップＳ２２では、マイクロコンピュータ１１は、それ自身に内蔵されているシリアル通信機能を利用し、上位ＥＣＵ４０に対するデータ送信を実行する。ここで送信するデータには、Ｓ１８で最後に算出した地絡抵抗値と、Ｓ２０で最後に更新した「地絡情報ＩＤ」と、ステータス情報とが含まれる。ステータス情報については、Ｓ１３で検出される高電圧の異常の有無や、Ｓ１５で検出される各部の故障発生の情報や、「計測禁止フラグ」の情報などを含めることができる。
【００７３】
一方、定期的に実行される図３のステップＳ３１では、マイクロコンピュータ１１は、イグニッション信号ＩＧＳを参照し、イグニッションスイッチがオフからオンに切り替わった直後か否かを識別する。イグニッションスイッチがオンになった時にはＳ３２に進み、それ以外のタイミングではＳ３３に進む。
【００７４】
ステップＳ３２では、マイクロコンピュータ１１は、計測禁止状態を解除するために前述の「計測禁止フラグ」をリセットし、次にＳ３７に進む。
【００７５】
ステップＳ３３では、マイクロコンピュータ１１は、所定の「計測禁止イベント」が発生したか否かを識別し、これが発生した直後はＳ３４に進み、それ以外のタイミングではＳ３５に進む。
【００７６】
実際には、例えば、次のいずれかの条件を満たす場合にマイクロコンピュータ１１は「計測禁止イベント」が発生したとみなす。
（１）マイクロコンピュータ１１が把握している絶縁状態検出装置１０の状態について「計測禁止イベント」に該当する状況が生じた場合。
（２）外部制御信号ＣＯＮの状態の切り替えにより、外部から「計測禁止」を指示された場合。
（３）通信により上位ＥＣＵ４０からマイクロコンピュータ１１が「計測禁止」の命令を受信した場合。
【００７７】
ステップＳ３４では、マイクロコンピュータ１１は、計測禁止状態に切り替えるために前述の「計測禁止フラグ」をセットする。また、送信対象データの地絡抵抗値ＲＬを保持するバッファに初期値を格納する。そして、次にＳ３７に進む。
【００７８】
ステップＳ３５では、マイクロコンピュータ１１は、所定の「計測再開イベント」が発生したか否かを識別し、これが発生した直後はＳ３６に進み、それ以外のタイミングでは図３の処理を終了する。
【００７９】
ステップＳ３６では、マイクロコンピュータ１１は、計測禁止状態を解除するために前述の「計測禁止フラグ」をリセットし、次にＳ３７に進む。
【００８０】
ステップＳ３７では、マイクロコンピュータ１１は、「地絡情報ＩＤ」に初期値を代入する。本実施形態では初期値は「０」とする。
【００８１】
＜動作の具体例＞
＜動作例（１）＞
図１に示した絶縁状態検出装置の動作例（１）を図４に示す。
この動作例においては、図３のＳ３３で検出される計測禁止イベントおよびＳ３５で検出される計測再開イベントに従って、絶縁状態検出装置１０の動作が変化する場合を想定している。すなわち、図４に示す動作信号の「ＡＣＴＩＯＮ」から「ＳＴＯＰ」への切り替わりが計測禁止イベントの発生を表し、動作信号の「ＳＴＯＰ」から「ＡＣＴＩＯＮ」への切り替わりが計測再開イベントの発生を表している。
【００８２】
図４に示す時間帯Ｔ１においては、まだ計測禁止イベントが発生していないので、計測スケジュールが実行され、前述の電圧（Ｖ０、Ｖｃ１−、Ｖｃ１＋）が計測される。なお、図４中の「ＶＣ１Ｐ」および「ＶＣ１Ｎ」は、それぞれ前述の電圧「Ｖｃ１＋」、「Ｖｃ１−」に相当する。
【００８３】
図４中のステップＳ２１１では、直前に計測した電圧（Ｖ０、Ｖｃ１−、Ｖｃ１＋）に基づいて、マイクロコンピュータ１１が最新の地絡抵抗値（ＲＬ６：ここでは６番目の値であることを想定）を算出する（図２のＳ１８）。
【００８４】
また、計測禁止イベントの発生前に、所定のタイミングになると、次のステップＳ２１３でマイクロコンピュータ１１は最後の計測結果のデータを上位ＥＣＵ４０に送信する。Ｓ２１１、Ｓ２１２が実行される前であれば、５番目に計測した地絡抵抗値（ＲＬ５）およびその計測タイミングに相当する地絡情報ＩＤ（ＩＤ：５）が送信される。また、ステータス情報の一部分として、「動作情報Action＝０」つまり計測禁止状態でないこと（動作信号＝「ＡＣＴＩＯＮ」の状態）を表す情報も送信される。
【００８５】
計測禁止イベントが発生すると、図４に示す時間帯Ｔ２のように、計測スケジュールの処理は、検出用コンデンサＣ１を放電した後で停止状態になる。また、マイクロコンピュータ１１は地絡情報ＩＤおよび地絡抵抗値を初期値にリセットする（図３のＳ３３−Ｓ３４−Ｓ３７）。
【００８６】
時間帯Ｔ２において、データを送信するタイミングになると、ステップＳ２１４でマイクロコンピュータ１１は地絡抵抗値（初期値）、地絡情報ＩＤ、およびステータス情報を送信する。この場合の地絡情報ＩＤの内容は、計測禁止イベントの発生により初期値にリセットされているので、初期値「０」である。
【００８７】
また、計測禁止中は図２のＳ２０が実行されないため、時間帯Ｔ２において地絡情報ＩＤの内容は初期値のまま変化しない。また、計測禁止中は図２のＳ１８が実行されないため、出力する地絡抵抗値は初期値のまま変化しない。
【００８８】
計測再開イベントが発生し、時間帯Ｔ２からＴ３に移行すると、図４に示すように計測スケジュールの処理が再び開始される。そして、計算に必要な電圧（Ｖ０、Ｖｃ１−、Ｖｃ１＋）の計測値が揃うと、ステップＳ２１５でマイクロコンピュータ１１は最新の地絡抵抗値（ＲＬ１）を算出する（図２のＳ１８）。
【００８９】
また、地絡抵抗値を算出した後で、地絡情報ＩＤの内容を初期値の「０」から「１」に更新する（Ｓ２０）。この更新の後で所定のタイミングになると、マイクロコンピュータ１１はステップＳ２１７でデータを送信する。このデータには、最後に算出した地絡抵抗値（ＲＬ１）と、現在の地絡情報ＩＤ（ＩＤ＝１）と、ステータス情報とが含まれる。
【００９０】
＜動作例（２）＞
図１に示した絶縁状態検出装置の動作例（２）を図５に示す。
この動作例においては、絶縁状態検出装置１０の内部でスイッチング素子Ｓ１〜Ｓ５等の故障が発生した場合を想定している。すなわち、図５に示す例では、時間帯Ｔ１の間はスイッチング素子Ｓ１〜Ｓ５の状態が正常であるが、時間帯Ｔ２において故障の発生が検出（図２のＳ１５）されている。
【００９１】
図５に示すように、故障が発生していない時間帯Ｔ１においては、計測スケジュールの処理が実行され、ステップＳ２２１で最新の地絡抵抗値が算出され、ステップＳ２２３で地絡情報ＩＤの内容が更新される。また、ステップＳ２２３で地絡抵抗値（ＲＬ６）および地絡情報ＩＤ（ＩＤ＝６）を含むデータが送信される。
【００９２】
そして、故障の発生が検出されると、図５中の時間帯Ｔ２のように計測スケジュールの処理が停止する。また、地絡抵抗値の算出処理も停止し、更に地絡情報ＩＤの更新も停止する。但し、所定の時間が経過する毎に、更新された最後のデータがマイクロコンピュータ１１により送信される。
【００９３】
例えば、図５に示すステップＳ２２４、Ｓ２２５、Ｓ２２６のいずれにおいても、地絡抵抗値としてＳ２２１で算出された６番目のＲＬ６が送信され、地絡情報ＩＤとして同じ値（ＩＤ＝６）が送信される。また、ステータス情報の一部として、故障箇所を表すスイッチ情報（ＳＷ＝１）が送信される。スイッチ情報（ＳＷ＝１）はスイッチング素子Ｓ１〜Ｓ５が異常であることを表し、（ＳＷ＝０）はスイッチング素子Ｓ１〜Ｓ５が正常であることを表す。
【００９４】
つまり、図２に示したステップＳ１６で計測禁止フラグがセットされた後は、ステップＳ１２が実行されないため計測スケジュールの処理が停止する。また、図２のステップＳ１８が実行されないため地絡抵抗値の算出が停止し、ステップＳ２０が実行されないため地絡情報ＩＤの更新が停止する。
【００９５】
＜動作例（３）＞
図１に示した絶縁状態検出装置の動作例（３）を図６に示す。
この動作例においては、一時的な異常状態が発生したため、一時的に処理の実行を待機する場合を想定している。具体的には、車載直流高圧電源５０の出力する高電圧に異常が発生した場合である。
【００９６】
図６に示す例では、時間帯Ｔ１で検出用コンデンサＣ１の電圧Ｖ０を計測した時には正常な電圧が検出されているが、時間帯Ｔ２では異常な電圧が検出されている。このような電圧の異常が発生すると、図２に示したステップＳ１３からＳ１４に進み、待機状態になる。
【００９７】
図６の例では、時間帯Ｔ２、Ｔ３、Ｔ４でそれぞれ電圧の異常が検出され、時間帯Ｔ５で正常な電圧に復帰している。従って、時間帯Ｔ２、Ｔ３、Ｔ４では計測動作を待機し、時間帯Ｔ５から計測を再開する。
【００９８】
また、時間帯Ｔ２、Ｔ３、Ｔ４のように計測動作の待機状態になっている時には、抵抗値の算出処理は一時的に停止し、地絡情報ＩＤの更新も停止する。データの送信は一定時間を経過する毎に実行されるが、送信するデータ（地絡抵抗値ＲＬ、地絡情報ＩＤ）の内容は待機中の期間は変化しない。
【００９９】
計測した電圧Ｖ０が正常状態に復帰し、計測を再開した後、地絡抵抗値の算出に必要な計測値が揃うと、再び地絡抵抗値の算出処理が実行される（Ｓ２３１）。また、地絡抵抗値の算出処理を実行した後で、地絡情報ＩＤが更新される（Ｓ２３２）。この後でデータ送信のタイミングになると、最後に算出した地絡抵抗値（ＲＬ７）および更新された地絡情報ＩＤ（ＩＤ＝７）が送信される（Ｓ２３３）。
【０１００】
＜地絡情報ＩＤの状態遷移の説明＞
図１に示した絶縁状態検出装置における動作状態の変化を図７に示す。
図７に示すように、パワーオンリセットのイベント（ｅｖｅｎｔ０）が発生すると、地絡検出機能の起動状態（Ｓｔａｔｅ０）になる。この時、イベント（ｅｖｅｎｔ０）に従って地絡情報ＩＤが初期値（０）にリセットされる。実際には、イグニッションスイッチがオンになった時に、図３のＳ３１−Ｓ３２−Ｓ３７が実行されて、地絡情報ＩＤがリセットされる。
【０１０１】
また、地絡検出機能を起動状態から停止状態に切り替えるイベント（ｅｖｅｎｔ１）が発生すると、地絡検出機能の停止状態（Ｓｔａｔｅ１）になる。また、イベント（ｅｖｅｎｔ１）に従って、地絡情報ＩＤが初期値（０）にリセットされる。実際には、図３のステップＳ３３で計測禁止イベントの発生を検出すると、Ｓ３４−Ｓ３７が実行され、地絡情報ＩＤがリセットされる。
【０１０２】
また、地絡検出機能を停止状態から起動状態に切り替えるイベント（ｅｖｅｎｔ２）が発生すると、地絡検出機能の起動状態（Ｓｔａｔｅ０）に戻る。また、イベント（ｅｖｅｎｔ２）に従って、地絡情報ＩＤが初期値（０）にリセットされる。実際には、図３のステップＳ３５で計測再開イベントの発生を検出すると、Ｓ３６−Ｓ３７が実行され、地絡情報ＩＤがリセットされる。
【０１０３】
また、地絡検出機能の起動状態（Ｓｔａｔｅ０）においては、地絡抵抗の算出処理の実行に伴って地絡情報ＩＤの値が、１，２，３，・・・，１２７，１，２，・・・と更新される。
【０１０４】
＜上位ＥＣＵ４０の動作例＞
図１に示した上位ＥＣＵ４０の動作例を図９に示す。すなわち、上位ＥＣＵ４０が地絡検出の処理を行う場合に、図９の処理を実行する。図９に示す動作について以下に説明する。
【０１０５】
ステップＳ１０１では、上位ＥＣＵ４０は地絡抵抗を計測するための装備が存在するか否かを識別する。すなわち、図１のように絶縁状態検出装置１０が上位ＥＣＵ４０と接続されており、絶縁状態検出装置１０とデータ通信できる状態か否かを識別する。
【０１０６】
ステップＳ１０２では、上位ＥＣＵ４０は例えば絶縁状態検出装置１０から送信されるステータス情報を参照し、地絡抵抗を検出可能な状態か否かを識別する。検出可能な状態であれば次のＳ１０３に進む。
【０１０７】
ステップＳ１０３では、上位ＥＣＵ４０は、データ通信により絶縁状態検出装置１０が送出した最新の地絡抵抗値の情報を取得する。この時には、地絡抵抗値と共に、前述の地絡情報ＩＤの値およびステータス情報も受け取ることができる。
【０１０８】
ステップＳ１０４では、車両上で取得可能な車両の状態に関する様々なパラメータの情報を入手し、地絡抵抗値の判定処理に適した状況か否かを識別する。このパラメータの中には、絶縁状態検出装置１０から受け取った地絡情報ＩＤも含まれる。例えば、上位ＥＣＵ４０が受け取った地絡抵抗値の算出タイミングから時間が経過していることが地絡情報ＩＤの値から認識できた場合には、地絡抵抗値の信頼性が低いとみなし、地絡抵抗値の判定処理に適さないと判断することもできる。
【０１０９】
なお、絶縁状態検出装置１０側のタイミングを表す地絡情報ＩＤの値と、上位ＥＣＵ４０側のタイミングとの同期については、例えば次のようにして行うことが可能である。
（１）イグニッションスイッチがオンになったタイミングを基準として、上位ＥＣＵ４０が地絡情報ＩＤの値に対応するタイミングを把握する。
（２）図７に示したイベント（ｅｖｅｎｔ１、ｅｖｅｎｔ２）を発生させるための命令あるいは制御信号（ＣＯＮ）を上位ＥＣＵ４０が絶縁状態検出装置１０に与えて、このタイミングを基準として同期をとる。
（３）上位ＥＣＵ４０が絶縁状態検出装置１０からのデータの受信を繰り返し、受信した地絡情報ＩＤの値の変化を監視することによりタイミングを把握する。
【０１１０】
地絡抵抗値の判定処理に適した状況であると認識した場合には、上位ＥＣＵ４０は次のステップＳ１０５で、地絡抵抗の判定を実施する。すなわち、絶縁状態検出装置１０から受信した地絡抵抗値を所定の閾値と比較することにより、絶縁抵抗が低下しているか否かを識別する。
【０１１１】
絶縁抵抗の低下をＳ１０５で検出した場合には、上位ＥＣＵ４０はステップＳ１０６で地絡状態であると認識し、例えば警報を出力したり異常発生の表示を行う。絶縁抵抗の低下が生じていないことをＳ１０５で認識した場合には、上位ＥＣＵ４０はＳ１０７で現在の状況を正常とみなし、正常であることを表す情報を表示する。
【０１１２】
＜補足説明＞
（１）図１に示した絶縁状態検出装置１０は、所定の高圧直流電源（５０）出力の正極側電源ライン（１１１）及び負極側電源ライン（１１２）とそれぞれ接続される正極側入力端子（１３）及び負極側入力端子（１４）と、接地電極（１５）とを有し、フライングキャパシタ（Ｃ１）の充電電圧に基づいて前記正極側電源ライン及び負極側電源ラインと前記接地電極との間の絶縁状態を把握する装置である。また、図２に示すように、前記フライングキャパシタの充電電圧に関する計測値に基づいて、前記正極側電源ライン及び負極側電源ラインと前記接地電極との間の絶縁抵抗値を算出する地絡抵抗値算出部（Ｓ１８）と、前記計測値に影響を及ぼす少なくとも１つの計測条件について異常の有無を識別する計測状態識別部（Ｓ１１、Ｓ１３、Ｓ１５）と、タイミング情報（地絡情報ＩＤ）を生成すると共に、地絡抵抗値算出部が新たな絶縁抵抗値を算出する毎に前記タイミング情報の値を所定値ずつ自動的に更新し、更に前記計測状態識別部の識別状態を前記タイミング情報の値に反映するタイミング情報生成部（Ｓ２０）と、前記地絡抵抗値算出部が算出した絶縁抵抗値および前記タイミング情報生成部が生成した前記タイミング情報を上位の制御装置に対して送信する情報送信部（Ｓ２２）と、を備えている。
【０１１３】
（２）また、前記計測状態識別部は、図３および図４に示すよう所定の計測禁止状態を検出した時（Ｓ３３）に、または前記計測禁止状態が解除された時（Ｓ３５）に、前記タイミング情報生成部が生成する前記タイミング情報の値を初期化し（Ｓ３７）する。また、図２に示すように、前記地絡抵抗値算出部は、前記計測禁止状態においては、新たな絶縁抵抗値の算出を中止する。
【０１１４】
（３）また、前記計測状態識別部は、図２および図５に示すように所定の計測異常状態を検出している時には、前記タイミング情報生成部が生成する前記タイミング情報の値の更新を中止して同じ値に維持し、前記地絡抵抗値算出部は、前記計測異常状態においては、新たな絶縁抵抗値の算出を中止する。
【０１１５】
（４）また、前記計測状態識別部は、図２および図６に示すように、一時的な計測異常状態を検出している時には、前記タイミング情報生成部が生成する前記タイミング情報の値の更新を中止し、正常な状態に戻るまでは前記タイミング情報を同じ値に維持し、前記地絡抵抗値算出部は、前記一時的な計測異常状態になってから正常な状態に戻るまでの間は、新たな絶縁抵抗値の算出を中止する。
【０１１６】
（５）また、前記計測状態識別部は、図３に示すように、車両から送出されるイグニッション信号によるリセット状態を検出した時に、前記タイミング情報生成部が生成する前記タイミング情報の値を初期化する（Ｓ３７）。
【０１１７】
（６）また、前記情報送信部は、図６に示すように前記地絡抵抗値算出部が新たな絶縁抵抗値の算出を中止している状態では、一定の時間を経過する毎に、最後に算出された絶縁抵抗値の情報を、前記タイミング情報と共に送出する。
【０１１８】
（７）また、前記計測状態識別部は、図２および図６に示すように、所定の条件における前記フライングキャパシタの電圧の計測値に基づき、少なくとも前記正極側電源ライン又は負極側電源ラインに印加される電源電圧の異常を検出する（Ｓ１３）。
【符号の説明】
【０１１９】
１０  絶縁状態検出装置
１１  マイクロコンピュータ
１３  正極側入力端子
１４  負極側入力端子
１５  接地電極
２０  入力回路
２１  出力コネクタ
２２，２３  入力端子
３１〜３６  配線
４０  上位ＥＣＵ
４５  車両上通信線
５０  車載直流高圧電源
１０１，１０２  Ｙコンデンサ
１０３  接地電極
１１１  正極側電源ライン
１１２  負極側電源ライン
Ｃ１  検出用コンデンサ（フライングキャパシタ）
Ｃ２  コンデンサ
Ｄ０，Ｄ１  ダイオード
Ｒ１，Ｒ４，Ｒ５，Ｒ６，Ｒ７  抵抗器
ＲＬｐ，ＲＬｎ  地絡抵抗
Ｓ１，Ｓ２，Ｓ３，Ｓ４，Ｓ５  スイッチング素子
ＩＧＳ  イグニッション信号
ＣＯＮ  外部制御信号
【図１】
2014149193.tif 000003
【図２】
2014149193.tif 000004
【図３】
2014149193.tif 000005
【図４】
2014149193.tif 000006
【図５】
2014149193.tif 000007
【図６】
2014149193.tif 000008
【図７】
2014149193.tif 000009
【図８】
2014149193.tif 000010
【図９】
2014149193.tif 000011